(57)【要約】【課題】  刃部の先端が皮膚や粘膜などに当接しても、挟んだり切ったりすることがなく、安全に鼻毛を切ることが可能な鼻毛切り用鋏を提供する。【解決手段】  鼻毛切り用鋏１は、切断刃２７，３７を有する一対の刃部２１，３１と、一対の刃部２１，３１を開位置と閉位置との間で操作するための操作部２３，３３とを備え、一対の刃部２１，３１は、閉位置のときに先端が閉じないように切欠部２４，３４を備えるものである。なお、切欠部２４，３４は、刃部２１，３１の先端から操作部２３，３３方向への長さＡが約１ｍｍ程度で設けられている。【選択図】        図１
2005304655.tif 000002
【特許請求の範囲】
【請求項１】
切断刃を有する一対の刃部と、
一対の該刃部を開位置と閉位置との間で操作するための操作部とを備え、
一対の前記刃部の少なくともいずれか一方は、
閉位置のときに先端が閉じないように切欠部を備えることを特徴とする鼻毛切り用鋏。
【請求項２】
前記切欠部は、前記刃部の前記先端からの長さが０．３〜３ｍｍの範囲で設けられていることを特徴とする請求項１に記載の鼻毛切り用鋏。
【請求項３】
前記切欠部には、前記切断刃が設けられていないことを特徴とする請求項１または請求項２に記載の鼻毛切り用鋏。
【発明の詳細な説明】
【技術分野】
【０００１】
本発明は、鼻毛切り用鋏に関するものである。
【背景技術】
【０００２】
従来より、鼻の孔の中に生えている鼻毛を切る際に用いる鼻毛切り用鋏が知られている。この鼻毛切り用鋏は、刃部と操作部とを有する第一鋏片及び第二鋏片と、刃部と操作部との間を支点の中心として第一鋏片及び第二鋏片を互いに回動可能に支持する支持部とを主に備えたものなどがある。図３に示すように、このような鼻毛切り用鋏８０では、刃部を鼻の孔の中に挿入しやすくするために、その先端が先細りになって尖っているとともに、全体の大きさが通常の鋏よりも小さくなっている。
【０００３】
そして、この鋏８０では、刃部の先端を鼻の孔の中に挿入し、一対の刃部を開いた開位置（図３（ｂ）参照）とし、その刃部間に鼻毛を入れて、次に一対の刃部を閉じた閉位置（図３（ａ）参照）とすることにより鼻毛を切断している。このとき、刃部の先端は、鼻の孔の中に入っているので見難く、鋏８０の尖っている先端が皮膚や粘膜などに突き刺さる恐れがあった。
【０００４】
そこで、例えば、図４（ａ）に示すように、鋏９０においてその先端に丸みを帯びた突出部９１，９２を設けることにより、先端が皮膚などに当接しても突き刺さることを防止した鼻毛切り用鋏なども提案されている。
【発明の開示】
【発明が解決しようとする課題】
【０００５】
しかしながら、上記の従来技術の鋏８０，９０は、鼻の孔の中で開位置から閉位置へと変化させる際に、鋏８０，９０の先端が見え難いことから先端が皮膚などに当接して皮膚などを引っ掛けてしまう可能性があり（図４（ｂ）参照）、このまま鋏８０，９０を閉じると、閉位置となったときに先端付近で皮膚などを挟んだり切ったりする恐れがあった。
【０００６】
本発明は上記の実情を鑑み、刃部の先端が皮膚や粘膜などに当接しても、挟んだり切ったりすることがなく、安全に鼻毛を切ることが可能な鼻毛切り用鋏の提供を課題とするものである。
【課題を解決するための手段】
【０００７】
上記の課題を解決するため、本発明にかかる鼻毛切り用鋏は、切断刃を有する一対の刃部と、一対の該刃部を開位置と閉位置との間で操作するための操作部とを備え、一対の前記刃部の少なくともいずれか一方は、閉位置のときに先端が閉じないように切欠部を備えることを主な特徴とするものである。
【０００８】
ここで、切欠部は、閉位置となるときに先端が閉じないようにするものであれば、その具体的な構成を何ら特定するものではなく、一対の刃部の両方に備えられているものであってもよく、いずれか一方に備えられているものであってもよい。
【０００９】
したがって、本発明の鼻毛切り用鋏によれば、一対の刃部の少なくともいずれか一方に、閉位置のときに先端が閉じないような切欠部を備えることから、一対の刃部が開位置から閉位置となる際に、刃部の先端が見難くて先端が皮膚や粘膜などに当接して皮膚などを引っ掛けも、閉位置になったときに皮膚などを挟んだり切ったりすることがない。よって、鼻毛などを切る作業を安全に行うことができる。
【００１０】
本発明にかかる鼻毛切り用鋏は、上記の構成に加え、前記切欠部は、前記刃部の前記先端からの長さが０．３〜３ｍｍの範囲で設けられているものであってもよい。
【００１１】
ここで、切欠部の長さの範囲を０．３〜３ｍｍとしたのは、切欠部の長さが０．３ｍｍより短いと、一対の刃部を閉位置とした際に先端の閉じない部分が小さくなり、皮膚などを挟んだり切ったりしてしまう可能性があるからである。また、切欠部の長さが３ｍｍより長いと、一対の刃部を閉位置とした際に先端の閉じない部分が必要以上に大きくなり、鼻毛などを切り難くなってしまうからである。
【００１２】
したがって、本発明の鼻毛切り用鋏によれば、切欠部の先端からの長さを０．３〜３ｍｍの範囲としたものであり、刃部が閉位置となったときに、皮膚などを挟んだり切ったりすることを確実に防止できると共に、鼻毛が切り難くなることを防止できる。
【００１３】
なお、切欠部は、一対の刃部が閉位置のときに閉じてない先端部分の深さが０．５〜１．５ｍｍの範囲となるように、その長さを設定することが望ましい。
【００１４】
本発明にかかる鼻毛切り用鋏は、上記の構成に加え、前記切欠部には、前記切断刃が設けられていないものであってもよい。
【００１５】
ところで、切断刃が刃部の先端まで設けられていると、刃部の先端が皮膚などに当接した際に、皮膚などを切ってしまう恐れがある。これに対し、本発明の鼻毛切り用鋏によれば、刃部において切断刃が切欠部には設けられていない。すなわち、刃部の先端付近には切断刃が設けられていないので、刃部の先端が皮膚などに当接しても切ったりすることがなく、より安全に鼻毛を切る作業を行うことができる。
【発明の効果】
【００１６】
以上のように、本発明は、刃部の先端が皮膚や粘膜などに当接しても、挟んだり切ったりすることがなく、安全に鼻毛を切ることが可能な鼻毛切り用鋏を提供できる。
【発明を実施するための最良の形態】
【００１７】
以下、本発明を実施するための最良の一実施形態である鼻毛切り用鋏１について、図１及び図２に基づき説明する。図１は本発明の一実施形態である鼻毛切り用鋏１の開位置の構成を示す正面図であり、図２（ａ）は、鼻毛切り用鋏１の閉位置の刃部の構成を示す正面図であり、図２（ｂ）は、鼻毛切り用鋏１の刃部の使用状態を示す説明図である。本実施形態の鼻毛切り用鋏１は、鼻の孔の中に生えている鼻毛を切る際に主に用いるものである。
【００１８】
鼻毛切り用鋏１は、図１に示すように、一対の第一鋏片２および第二鋏片３と、その第一鋏片２および第二鋏片３を回動可能に支持する支持部４とを主に備えている。
【００１９】
第一鋏片２は、刃部２１と、刃部２１から延びて設けられた操作部２３と、操作部２３と刃部２１との中間に設けられ、支持部４を挿通するための貫通孔（図示省略）とを主に備えている。また、第二鋏片３も第一鋏片２と略同じ形状とされており、刃部３１と、操作部と３３、貫通孔（図示省略）とを主に備えている。なお、第一鋏片２および第二鋏片３は、操作部２３，３３から支持部４付近までの外形をなす樹脂と、その樹脂にインサートされて刃部２１，３１の外形をなすステンレス鋼とから形成されている。
【００２０】
これら第一鋏片２および第二鋏片３において、刃部２１，３１は、その一方の縁の先端に備えられた切欠部２４，３４と、切欠部２４，３４とは反対側で外方に突出する略半円弧状の突出部２５，３５と、切欠部２４，３４の貫通孔に近い側の端２６，３６から貫通孔方向に延びる所定の長さの切断刃２７，３７とを備えている。
【００２１】
なお、切欠部２４，３４は、一対の刃部２１，３１が閉位置の状態でその先端に所定の隙間を形成可能な大きさ及び形状とされている。因みに本例では、Ｃ面取り形状とされ、刃部２１，３１の先端から貫通孔方向に向かっての長さＡは約１ｍｍ程度とされている。
【００２２】
一方、第一鋏片２および第二鋏片３において、操作部２３，３３は、貫通孔を挟んで刃部２１，３１と反対側に配置され、その後端部の、刃部２１，３１の切断刃２７，３７が備えられた縁と同じ側の縁に外方に突出した環状の指通孔２２，３２が備えられている。
【００２３】
そして、これら第一鋏片２および第二鋏片３は、夫々の刃部２１，３１の切断刃２７，３７が互いに対向するように重ね合わせて、夫々の貫通孔を一致させた上で、その貫通孔に支持部４を挿通することで組み立てられている。
【００２４】
次に、本実施形態の鼻毛切り用鋏１の作用について説明する。鼻毛切り用鋏１では、操作部２３，３３の指通孔２２，３２に指を挿通して、指通孔２２，３２を互いに離間させるように操作することで、刃部２１，３１が互いに離間した開位置（図１参照）とすることが可能であると共に、指通孔２２，３２を互いに近づけさせるように操作することにより、刃部２１，３１が互いに重ね合わさった閉位置（図２（ａ）参照）とすることが可能である。
【００２５】
そして、鼻毛切り用鋏１を用いて鼻毛を切る場合、先ず、操作部２３，３３の指通孔２２，３２に指を挿通して鼻毛切り用鋏１を持ち、閉位置または開位置の状態で刃部２１，３１の先端を鼻の孔の中に挿入する。このとき、刃部２１，３１の先端が鼻の孔の中の粘膜などに当接しても、刃部２１，３１の先端において、突出部２５，３５が設けられているので、粘膜などに突き刺さることはない。
【００２６】
続いて、開位置の状態で刃部２１，３１間に鼻毛を位置させ、刃部２１，３１を閉位置とすることで、鼻毛が切断される。ところで、鼻毛を切る際に、鼻毛切り用鋏１の先端が鼻の孔の中に挿入されており、その先端が見難いため、先端が粘膜などに当接しているのに気付かずに鼻毛切り用鋏１を閉位置へと操作しても（図２（ｂ）参照）、先端に形成された切欠部２４，３４により閉位置において所定の隙間が形成されるので、粘膜などを刃部２１と刃部３１とで挟むことがなく、鼻毛のみが確実に切断される。
【００２７】
このように、本実施形態の鼻毛切り用鋏１は、一対の刃部２１，３１に、閉位置のときに先端が閉じないような切欠部２４，３４を備えることから、一対の刃部２１，３１が開位置から閉位置となる際に、刃部２１，３１の先端が見難くくて先端が皮膚や粘膜などに当接して皮膚などを引っ掛けも、閉位置になったときに皮膚などを挟んだり切ったりすることがない。よって、鼻毛などを切る作業を安全に行うことができる。また、一対の刃部２１，３１が閉位置となったときに刃部２１，３１間に適度な隙間ができるようにしていることから、皮膚などを挟んだり切ったりすることを確実に防止できると共に、鼻毛が切り難くなることを防止できる。
【００２８】
また、本実施形態の鼻毛切り用鋏１は、切欠部２４，３４に切断刃２７，３７が設けられていないことから、開閉時において刃部２１，３１の先端が皮膚などに接触しても切ったりすることがなく、より安全に鼻毛を切る作業を行うことができる。
【００２９】
以上、本発明について好適な実施形態を挙げて説明した。しかし、本発明はこの実施形態に限定されるものではない。以下に示すように、本発明の要旨を逸脱しない範囲において、種々の改良及び設計の変更が可能である。
【００３０】
１．上記実施形態の鼻毛切り用鋏１では、閉位置となったときに、一対の刃部２１，３１の切断刃２７，３７が互いに重ね合わされるものを示した。しかし、これに特に限定するものではなく、閉位置となったときに、一対の刃部の切断刃が互いに噛み合わされるものであってもよい。切断刃が互いに噛み合う場合であっても、刃部の先端に切欠部を設けることにより、鼻毛切り用鋏１と同様の作用効果を得ることができる。
【００３１】
２．上記実施形態の鼻毛切り用鋏１では、第一鋏片２と第二鋏片３とを刃部２１，３１と操作部２３，３３との間を支点の中心として支持部４により回動可能に組み付けたものを示した。しかし、これに特に限定されるものではなく、例えば、一対の鋏片からなり、その鋏片の先端側に一対の刃部を設けると共に、その反対側の基端側で互いに連結されて構成されるものであってもよい。或いは、一体的な鋏片からなり、両端に刃部を設けると共に中央で屈曲させて、刃部を相対させる構成であってもよい。
【００３２】
３．上記実施形態の鼻毛切り用鋏１では、一対の刃部２１，３１の両方の先端に切欠部２４，３４を設けたものを示した。しかし、これに特に限定されるものではなく、刃部２１，３１のどちらか一方にのみ切欠部を設けて先端が閉じないようにしてもよい。しかし、切欠部を設けるとその鋏片の先端が緩やかになることなどの点から、刃部２１，３１の両方に切欠部を設ける方がより好ましい。
【００３３】
４．上記実施形態の鼻毛切り用鋏１では、切欠部２４，３４を、刃部２１，３１の長手方向に対して斜めに直線状に設けたものを示した。しかし、これに特に限定されるものではなく、切欠部の縁を面取りして設けたり、切欠部を略円弧状に設けてもよい。
【産業上の利用可能性】
【００３４】
鼻毛切り用の鋏に適用できるほか、例えば手術など、切断作業時に先端が見難くなる場合に用いる鋏に適用すると特に好適である。
【図面の簡単な説明】
【００３５】
【図１】本発明の一実施形態である鼻毛切り用鋏の開位置の構成を示す正面図である。
【図２】（ａ）は、鼻毛切り用鋏の閉位置の刃部の構成を示す正面図であり、（ｂ）は、鼻毛切り用鋏の刃部の使用状態を示す説明図である。
【図３】（ａ）は、従来の鼻毛切り用鋏の閉位置の刃部の構成を示す正面図であり、（ｂ）は、従来の鼻毛切り用鋏の開位置の刃部の構成を示す正面図である。
【図４】（ａ）は、従来の鼻毛切り用鋏の閉位置の刃部の構成を示す正面図であり、（ｂ）は、従来の鼻毛切り用鋏の刃部の使用状態を示す説明図である。
【符号の説明】
【００３６】
１  鼻毛切り用鋏
２１，３１  刃部
２３，３３  操作部
２４，３４  切欠部
２７，３７  切断刃
【図１】
2005304655.tif 000003
【図２】
2005304655.tif 000004
【図３】
2005304655.tif 000005
【図４】
2005304655.tif 000006